(57)【要約】【課題】底部などに配する仕切部材を簡単に着脱でき、しかも全開放でき、さらに開放したときにその可動仕切部材を適切に収容、保管できる収納装置を提供する。【解決手段】収納装置１は、複数の棒状部材２１をその棒状部材２１の幅方向に連結体２２で連結した可動仕切部材２０を有しており、両側板部２、２の対向面の同部位に、前端部から後端部まで水平に延びる横溝１１と、その横溝１１の後端部から上下方向のすくなくとも一方に連通して延びる縦溝１２とを有したレール溝１０が形成されており、可動仕切部材２０は、複数の棒状部材２１の長手方向の両端が対向するレール溝１０に挿入され、レール溝１０をスライド移動自在となるように配されており、可動仕切部材２０をすくなくとも横溝１１に沿って配された状態で保持する保持手段３０をさらに備えている。【選択図】図１
2015202131.tif 000002
【特許請求の範囲】
【請求項１】
両側板部間に収納空間を有した収納装置において、
複数の棒状部材をその棒状部材の幅方向に連結体で連結した可動仕切部材を有しており、
前記両側板部の対向面の同部位に、前端部から後端部まで水平に延びる横溝と、その横溝の後端部から上下方向のすくなくとも一方に連通して延びる縦溝とよりなるレール溝が形成されており、
前記可動仕切部材は、前記複数の棒状部材の長手方向の両端が対向する前記レール溝に挿入され、前記レール溝をスライド移動自在となるように配されており、
前記可動仕切部材をすくなくとも前記横溝に沿って配された状態で保持する保持手段をさらに備えたことを特徴とする収納装置。
【請求項２】
請求項１において、
前記保持手段は、前記可動仕切部材の先端棒状部材を係止する係止部と、最後尾に配された後端棒状部材を接続した弾性体とより構成され、
前記可動仕切部材は、前記先端棒状部材が前記係止部で係止されているときには、前記弾性体の弾性復帰力が作用した状態で前記横溝側に配置、保持され、前記係止部で係止されていないときには前記縦溝側に配置、保持される、収納装置。
【請求項３】
請求項１または２において、
前記可動仕切部材は底部として用いられる、収納装置。
【請求項４】
請求項１〜３のいずれか１項において、
前記縦溝よりも前方側に配される背板部をさらに備えている、収納装置。
【発明の詳細な説明】
【技術分野】
【０００１】
本発明は、建物の玄関などに配置または組み付けされる収納装置に関する。
【背景技術】
【０００２】
従来の収納装置には、両側板間に取り付ける底板などの仕切部材を着脱自在としたものが種々提案されている（たとえば、特許文献１、２参照）。これら文献のものはいずれも、底部に底板の存在しない開放した部分を作り出すことができるようになっている。
【０００３】
特許文献１の収納装置は壁吊り構造の玄関収納装置である。この収納装置は底部（傘用水受け皿）が着脱自在とされ、底部が全開放できるようになっている。この収納装置は、底部を開放した状態では、折りたたみ式のベビーカーを折りたたんで収納空間に収納できるようになっている。
【先行技術文献】
【特許文献】
【０００４】
【特許文献１】特開２００３−２６５２４４号公報
【発明の概要】
【発明が解決しようとする課題】
【０００５】
しかしながら、特許文献１のものでは、底板の着脱が面倒であるし、取り外した底板の保管の仕方や場所については提案されておらず、いったん取り外した底板の保管に苦慮するおそれがある。保管場所を失念して、底板を再度使用したいときにすぐに取り付けできないこともある。
【０００６】
また、特許文献２の壁吊り構造の玄関収納装置は、底板を折りたたんで壁際に配することができるようになっており保管場所を失念するという問題はないが、底部の一部しか開放できず、底部の全領域を長尺物の収納に利用することはできない。
【０００７】
本発明は、このような事情を考慮して提案されたもので、その目的は、底部などに配する仕切部材を簡単に着脱でき、しかも全開放でき、さらに開放したときにその可動仕切部材を適切に収容、保管できる収納装置を提供することにある。
【課題を解決するための手段】
【０００８】
上記目的を達成するために、本発明の収納装置は、両側板部間に収納空間を有した収納装置において、複数の棒状部材をその棒状部材の幅方向に連結体で連結した可動仕切部材を有しており、両側板部の対向面の同部位に、前端部から後端部まで水平に延びる横溝と、その横溝の後端部から上下方向のすくなくとも一方に連通して延びる縦溝とよりなるレール溝が形成されており、可動仕切部材は、複数の棒状部材の長手方向の両端が対向するレール溝に挿入され、レール溝をスライド移動自在となるように配されており、可動仕切部材をすくなくとも横溝に沿って配された状態で保持する保持手段をさらに備えたことを特徴とする。
【発明の効果】
【０００９】
本発明の収納装置によれば、上述の構成となっているため、底部などに配する仕切部材を簡単に着脱でき、しかも上下方向に全開放でき、さらに開放したときにその可動仕切部材を適切に収容、保管できる。
【図面の簡単な説明】
【００１０】
【図１】本発明の一実施形態に係る収納装置の全体斜視図（扉の図示は省略）である。
【図２】（ａ）は収納装置の使用態様の一例を示す要部拡大斜視図、（ｂ）は（ａ）のＸ部をさらに拡大した部分正面図である。
【図３】（ａ）は収納装置の使用態様の他例を示す要部拡大斜視図、（ｂ）は側板の内面の下端部を拡大した部分正面図である。
【図４】（ａ）、（ｂ）は、収納装置の２使用態様を示す断面図である。
【発明を実施するための形態】
【００１１】
以下に、本発明の実施の形態について、添付図面を参照して説明する。まず、図１〜図４に例示した実施形態に係る収納装置１の概略の構成について説明する。
【００１２】
この収納装置１は両側板部２、２間に収納空間７を有した収納装置である。収納装置１は、複数の棒状部材２１、２１、・・・をその棒状部材２１の幅方向に連結体２２、・・・で連結した可動仕切部材２０を有している。両側板部２、２の対向面の同部位に、前端部から後端部まで水平に延びる横溝１１と、その横溝１１の後端部から上下方向のすくなくとも一方に連通して延びる縦溝１２とよりなるレール溝１０が形成されている。
【００１３】
また、可動仕切部材２０は、複数の棒状部材２１、２１、・・・の長手方向の両端が対向するレール溝１０に挿入され、レール溝１０をスライド移動自在となるように配されている。収納装置１は、この可動仕切部材２０をすくなくとも横溝１１に沿って配された状態で保持する保持手段３０（図２（ａ）参照）をさらに備えている。
【００１４】
ついで、この収納装置１の詳細構成について、図１〜図４を参照しながら説明する。
【００１５】
この収納装置１は、玄関の壁面に組み付けられる壁吊り構造の収納装置である（図１参照）。収納装置１は、図１に示すように、両側板部２、２と、天板部５と、背板部４と、可動仕切部材２０で構成された底部３とを有してなる。また、両側板部２、２間には、収納空間７が形成されており、その収納空間７に着脱式の棚板６（図１では不図示。図４参照）を適宜な高さ位置に配置することができ、前面には扉８（図１では不図示。図４参照）が配設されている。
【００１６】
図２（ａ）および図３（ａ）に示すように、両側板部２、２の各内面の下端部には相互に鏡像関係のレール溝１０が形成され、そのレール溝１０に可動仕切部材２０の両端が挿入されている。なお、図面には、一方の側板部２についてのみ図示し、他方の側板部２については図示を省略した。
【００１７】
レール溝１０は、前端部から後端部まで水平に延びる横溝１１と、その横溝１１の後端部から上方に連通して延びる縦溝１２とよりなる。横溝１１および縦溝１２はそれぞれ略直線形状とされる。横溝１１の後端部と、その後端部より上方に延びた縦溝１２とは背板部４よりも後方側に配されている。よって、前方からは縦溝１２は背板部４によって隠されている。
【００１８】
また、横溝１１の前端部側には、横溝１１より連通する矩形鉤状の係止溝（係止部１３）が形成されている。係止溝の形状については図示したものに限定されないが、すくなくとも後方側の溝終端１３ａが閉塞された形状であればよい。
【００１９】
このレール溝１０は、縦溝１２の上端部から係止部１３の溝終端１３ａまでの溝幅が同一とされ、その幅寸法は棒状部材２１の端部を挿入して、溝に沿ってスムーズにスライドできる程度の寸法であればよい。また、係止部１３の溝終端１３ａは横溝１１の延長線上にあることが望ましい。係止部１３の溝終端１３ａを横溝１１の延長線上に設けることで、可動仕切部材２０を構成する棒状部材２１、２１、・・・を同一高さ位置に配することができる。その結果、可動仕切部材２０の上に載置する物品を水平な状態に保持することができる。
【００２０】
可動仕切部材２０は、上述したように、複数の棒状部材２１、２１、・・・をその棒状部材２１の幅方向に連結体２２、・・・で連結してなるものである。図例における可動仕切部材２０は、４本の棒状部材２１、２１、・・・を一定の間隔を離間させて、棒状部材２１、２１、・・・の長手方向の両端部のそれぞれにおいて連結体２２、・・・で連結して構成されている。
【００２１】
棒状部材２１は、金属製あるいは硬質の合成樹脂製の柱状体、筒状体などにより形成されたものであればよい。棒状部材２１は、両側板部２の内面に対し垂直になるよう両端部がレール溝１０に挿入されたときに、一方の端部をずらさないかぎりは両端部がレール溝１０より外れず、かつレール溝１０をスライド移動できる程度の長さとされる。つまり、棒状部材２１の長さは両側板部２、２の内面間よりも長く、レール溝１０の底面間よりわずかに短めとされる。
【００２２】
連結体２２は合成樹脂材などよりなる。連結体２２は棒状部材２１、２１間を連結する部材である。本実施形態のもののように、可動仕切部材２０をレール溝１０に沿って移動させるときに連結体２２を曲げる必要があるものでは、軟質素材で形成した連結体２２を用いることが望ましい。なお、可動仕切部材２０を底部３として使用する場合は棒状部材２１、２１間の間隔が変動しないようにする必要があるが、後述するように底部３として使用するときには前後より引っ張られて保持されるので、連結体２２が軟質素材であっても問題はない。
【００２３】
また、各連結体２２を硬質素材で形成してもよいが、その場合は棒状部材２１との連結部２２ａを柔軟な合成樹脂材で製することが望ましい。また、棒状部材２１の端部に孔部を設けて、その孔部に１本の長尺連結体を通して棒状部材２１、２１間の間隔が変動しないように固定するようにしてもよい。
【００２４】
可動仕切部材２０の前端から後端までの寸法は、収納装置１の収納空間７の奥行き寸法とほぼ同一とされる。
【００２５】
このような可動仕切部材２０は、その最後尾に配された後端棒状部材２１ｂがゴムまたは巻きばねなどの弾性体２５、２５を介して、縦溝１２の上端よりもさらに上方において両側板部２、２間を連結した固定棒２６に接続されている。なお、複数の弾性体２５、２５で後端棒状部材２１ｂの長手方向の複数個所に接続することが望ましい。
【００２６】
可動仕切部材２０は、弾性体２５を介して固定棒２６に接続された状態で、全棒状部材２１、２１、・・・の両端がレール溝１０に挿入され、レール溝１０をスライド移動自在となるように配されている。具体的には、可動仕切部材２０は、図２（ａ）、図３（ａ）の２つの状態のいずれかの状態に配置、保持される。
【００２７】
図２（ａ）の場合では、可動仕切部材２０の先端棒状部材２１ａが係止部１３の溝終端１３ａに両端が挿入され、それよりも後方には移動しないように係止されている。そして、その後方の３本の棒状部材２１、２１、２１は両端が横溝１１に挿入された状態に配されている。この状態では、先端棒状部材２１ａの後方への移動が規制されているので、連結体２２、２２で連結された後方の棒状部材２１、２１、２１も移動できない。このようにして、可動仕切部材２０の全棒状部材２１、２１、・・・は横溝１１に沿ってほぼ水平な状態に配置、保持される。図２（ａ）の状態では、弾性体２５、２５は、その先端（下端）が横溝１１側にいたるまで伸びた状態にあり、弾性復帰力が作用して、背板部４の下端に接触しているから可動仕切部材２０を後方へと引っ張り、背板部４の裏側では上方へと引っ張っている。連結体２２、・・・は伸縮性がないから、可動仕切部材２０は変形することなく底部３として配される。
【００２８】
一方、図３（ａ）の場合では、可動仕切部材２０の先端棒状部材２１ａは係止部１３で係止されていない。先端棒状部材２１ａおよび後方の棒状部材２１、・・・の後方への移動が規制されていないから、弾性体２５、２５が収縮した状態にあり、可動仕切部材２０の全棒状部材２１、２１、・・・は両端が縦溝１２に挿入された状態に配されている。つまり、可動仕切部材２０は上方より、ほぼ復帰した状態にある弾性体２５、２５を介して縦溝１２に沿ってほぼ垂直に吊り下がった状態に保持されている。なお、この状態では可動仕切部材２０は固定された状態ではないが、重力と弾性体の弾性力とが釣り合っており、先端棒状部材２１ａを前方へ引き出さないかぎりは、可動仕切部材２０は一定の位置にぶら下がった状態に保持される。
【００２９】
ようするに、可動仕切部材２０を横溝１１に沿って配された状態で保持する保持手段３０は、可動仕切部材２０の先端棒状部材２１ａを係止する係止部１３と、最後尾に配された後端棒状部材２１ｂを接続した弾性体２５、２５とより構成されている。そして、可動仕切部材２０は、先端棒状部材２１ａが係止部１３で係止されているときには、弾性体２５、２５の弾性復帰力が作用した状態で横溝１１側に配置、保持される。一方、先端棒状部材２１ａが係止部１３で係止されていないときには、可動仕切部材２０は縦溝１２側に配置、保持される。
【００３０】
本実施形態では、以上に説明したように、可動仕切部材２０の先端棒状部材２１ａが係止部１３で係止されているときは全棒状部材２１、２１、・・・が水平状態にあり、係止されていないときは全棒状部材２１、２１、・・・が垂直状態にある。このように、いずれの場合も可動仕切部材２０は横溝１１、縦溝１２に跨らないように配されるようになっている。可動仕切部材２０をこのように配置させるためには、可動仕切部材２０の前端から後端までの寸法は収納空間７の奥行き寸法を考慮して定める必要がある。そしてさらに、弾性体２５の弾性係数、弾性体２５の本数、弾性体２５の上端固定位置、縦溝１２の全長などを種々組み合わせて調整する必要があることはいうまでもないことである。
【００３１】
また、可動仕切部材２０の移動による過渡的な状態は、図３（ｂ）に示すとおりである。連結体２２が軟質素材で形成されているので、背板部４の下端と接触しながら、可動仕切部材２０を横溝１１、縦溝１２間をスムーズに移動させることができる。なお、連結体２２が硬質素材よりなる場合でも、連結体２２と棒状部材２１との連結部２２ａが曲げ可能で、かつ連結体２２が背板部４の下端に接触しなければ、可動仕切部材２０が移動するのに支障はない。
【００３２】
以上のようにして、可動仕切部材２０は可動式の底部３として用いられる。底部３を必要とする場合には、先端棒状部材２１ａを係止部１３に係止して底部３を形成すればよく、底部３が不要な場合には、先端棒状部材２１ａの係止部１３による係止を解除して、可動仕切部材２０の全体を背板部４の裏側に隠すようにすればよい。
【００３３】
このような収納装置１によれば、図４（ａ）、（ｂ）に図示したように、長尺物を収納しない場合は可動仕切部材２０で底部３を形成し（図４（ａ））、スキー板４１のような長尺物を収納する場合は、底部３を形成せずに使用する（図４（ｂ））ことができる。なお、図４（ａ）、（ｂ）ではレール溝１０の図示を省略した。
【００３４】
ようするに、この収納装置１によれば、可動仕切部材２０を底部３として簡単に取り付け、取り外しができ、しかも収納空間７を下方向に全開放することができ、さらに開放したときにその可動仕切部材２０を適切に収容、保管することができる。また、可動仕切部材２０は不要なときに背板部４の裏側に収容できるので、紛失することはなく、底部３として使用したいときには、収容してある可動仕切部材２０を引っ張り出して容易に底部３を形成することができる。また、可動仕切部材２０は底部３として使用されないときには背板部４によって隠されるので、美感を損なうこともない。
【００３５】
また、本実施形態のものは、可動仕切部材２０に棒状部材２１、２１間の大きな隙間が形成されているため、泥の付いた靴４２を可動仕切部材２０の上に置いたときには、泥を下方に落とすことができる（図４（ａ）参照）。
【００３６】
なお、本実施形態の収納装置１は、可動仕切部材２０を可動式の底部３として利用する構成であるが、可動仕切部材２０を可動式の他の仕切部（棚板６、天板部５など）として利用する構成であってもよい。また、複数の可動仕切部材２０で複数の可動式の仕切部を構成するようにしてもよい。なお、可動仕切部材２０を天板部５に利用する場合は、縦溝１２は横溝１１よりも下方に形成すればよい。さらに、横溝１１の後端部より上下両方向に縦溝１２を形成した側板を用いてもよい。
【００３７】
以上には、棒状部材２１、２１間に間隔を設けた可動仕切部材２０を例示したが、棒状部材２１、２１間の目が詰まった可動仕切部材を用いてもよい。天板部５や棚板６に可動仕切部材２０を採用する場合は、天板部５の上方からのごみの侵入や、棚板６に載置した小物類の落下を防止するために、このような目の詰まった可動仕切部材を用いることが望ましい。
【００３８】
以上の実施形態では、可動仕切部材２０が横溝１１側、縦溝１２側のいずれかに配された状態で保持されるものを示したが、図３（ｂ）のように横溝１１、縦溝１２間に跨る位置で保持されるようにしてもよい。そのようにするためには、たとえば横溝１１の中間位置に他の係止部を設ければよい。このようにすれば、後方から横溝１１の中間位置までに部分的な底部３を形成することができる。
【００３９】
また、保持手段３０としては弾性体２５を用いない構成としてもよい。たとえば、レール溝１０に沿った適宜な位置に前端用、後端用の係止部を設け、先端棒状部材２１ａを先端用の係止部に引っ掛け、後端棒状部材２１ｂを後端用の係止部に引っ掛けることで底部３を形成できるようにしてもよい。この場合は連結体２２を弾性材で形成してもよい。さらに、レール溝１０に沿って一定の間隔で係止部を設けてもよい。このようにすれば、可動仕切部材２０を所望の位置で固定、保持することができる。
【００４０】
また、このような構造の収納装置１は、玄関収納装置のみならず、種々の収納装置にも適用が可能である。また、収納装置１は、床に設置するだけのもの、壁に組み付けるもののいずれにも適用可能である。
【符号の説明】
【００４１】
１          収納装置
２          側板部
３          底部
４          背板部
７          収納空間
１０        レール溝
１１        横溝
１２        縦溝
１３        係止部
２０        可動仕切部材
２１        棒状部材
２１ａ      先端棒状部材
２１ｂ      後端棒状部材
２２        連結体
２５        弾性体
３０        保持手段
【図１】
2015202131.tif 000003
【図２】
2015202131.tif 000004
【図３】
2015202131.tif 000005
【図４】
2015202131.tif 000006